(57)【要約】【課題】  遊技盤の上部からアタッカーに流下する遊技球の間隔を、一定にすることでひねり打ちによる影響をなくすことができるひねり打ち対策装置を提供すること。【解決手段】  パチンコ機１０の遊技盤１１における入賞装置１７の上方にひねり打ち対策装置２０を設置した。ひねり打ち対策装置２０を、球入口３１ａから球出口３１ｂに向かう途中に遊技球Ａを横移動させる横移動路３１ｃが形成された球通路３１を備えた装置本体２０ａと、支受片３６ｂと停止片３６ｃを横移動路３１ｃの下流側に位置させて装置本体２０ａに搖動可能に設置された搖動部材３６と、搖動部材３６を上方に付勢する磁石３８ａ，３８ｂとで構成した。そして、遊技球Ａを支受片３６ｂが支受したときに搖動部材３６が下方に回転して遊技球Ａを球出口３１ｂに送るとともに、つぎの遊技球Ａを停止片３６ｃが横移動路３１ｃの上流側に停止させるようにした。【選択図】  図７
2017169720.tif 000002
【特許請求の範囲】
【請求項１】
遊技機の遊技盤に発射され前記遊技盤の上部からアタッカーに向かって流下する遊技球を通過させるひねり打ち対策装置であって、
球入口から球出口に向かって下方に延び、途中に遊技球を横移動させる横移動路が形成された球通路を備えた装置本体と、
遊技球を支受する支受片と遊技球を停止させる停止片とを前記横移動路における下流側部分に位置させて前記装置本体に上下に搖動可能に設置され、前記横移動路に送られる遊技球を前記支受片が支受したときに下方に回転することにより遊技球を前記球出口側に送るとともに、つぎに前記横移動路に送られる遊技球を前記停止片が前記横移動路における上流側部分に停止させる搖動部材と、
前記搖動部材を上方に付勢し、前記支受片が遊技球を支受していないときに前記搖動部材を元の位置に復帰させる付勢手段と
を備えたことを特徴とするひねり打ち対応装置。
【請求項２】
前記装置本体が前記球入口と前記球出口を前記遊技盤の前面に位置させて設置され、前記球通路が、前記球入口から下方後側に延びて前記横移動路における上流側部分に連通する入口側通路と、前記横移動路における下流側部分から前記球出口に連通する出口側通路とからなっている請求項１に記載のひねり打ち対応装置。
【請求項３】
前記搖動部材が前記支受片と前記停止片を前方に位置させて後部を支点として搖動可能になっている請求項１または２に記載のひねり打ち対応装置。
【請求項４】
前記付勢手段が、前記装置本体に取り付けられた装置本体側磁石と、前記搖動部材に取り付けられて前記装置本体側磁石に対して吸引または反発する搖動部材側磁石で構成されている請求項１ないし３のうちのいずれか一つに記載のひねり打ち対応装置。
【発明の詳細な説明】
【技術分野】
【０００１】
本発明は、遊技盤に遊技球を発射させて遊技する遊技機に備わったひねり打ち対策装置に関する。
【背景技術】
【０００２】
パチンコ機の遊技盤には、チャッカーやアタッカーなどの入賞口が備わっており、遊技球がこれらの入賞口に入ると所定数の遊技球が球皿に送られてくる。また、アタッカーは開閉式になっており、開いた状態から所定数の遊技球が入ったときに閉じるように制御される。このため、遊技者のなかには、アタッカーが閉じる前の最後の一球を発射する際に、その遊技球を遊技盤の所定の部分に衝突させるなどして球速を遅くし、つぎに発射する遊技球と一緒にアタッカーに入れようとする、いわゆるひねり打ちをして賞球数を多くしようとする者がいる。このため、遊技機の中には、ひねり打ちに対する対策手段を設けたものがある（例えば、特許文献１参照）。
【０００３】
この遊技機では、管理装置により遊技履歴を管理することで、遊技者の技術レベルを特定し、いわゆる大当たりが、遊技者の攻略によるものか、遊技盤の釘調整が甘いために生じたものであるかを特定できるようにしている。
【先行技術文献】
【特許文献】
【０００４】
【特許文献１】特開２０１３−１４６４３０号公報
【発明の概要】
【０００５】
しかしながら、前述した遊技機では、ひねり打ちが行われていることは特定できるが、遊技球の発射間隔や球速を変えることはできないため、ひねり打ちによる出玉の制御自体はできない。
【０００６】
本発明は、前述した問題に対処するためになされたもので、その目的は、遊技盤の上部からアタッカーに流下する遊技球の間隔を、一定にすることでひねり打ちによる影響をなくすことができるひねり打ち対策装置を提供することである。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００７】
前述した目的を達成するため、本発明に係るひねり打ち対策装置の構成上の特徴は、遊技機（１０）の遊技盤（１１）に発射され遊技盤の上部からアタッカー（１７）に向かって流下する遊技球（Ａ）を通過させるひねり打ち対策装置（２０）であって、球入口（３１ａ）から球出口（３１ｂ）に向かって下方に延び、途中に遊技球を横移動させる横移動路（３１ｃ）が形成された球通路（３１）を備えた装置本体（２０ａ）と、遊技球を支受する支受片（３６ｂ）と遊技球を停止させる停止片（３６ｃ）とを横移動路における下流側部分に位置させて装置本体に上下に搖動可能に設置され、横移動路に送られる遊技球を支受片が支受したときに下方に回転することにより遊技球を球出口側に送るとともに、つぎに横移動路に送られる遊技球を停止片が横移動路における上流側部分に停止させる搖動部材（３５）と、搖動部材を上方に付勢し、支受片が遊技球を支受していないときに搖動部材を元の位置に復帰させる付勢手段（３８ａ，３８ｂ）とを備えたことにある。
【０００８】
本発明に係るひねり打ち対策装置を備えた遊技機では、遊技盤に発射され遊技盤の上部からアタッカーに向かって流下する遊技球をそのまま流下させてアタッカーに向かわせるのでなく、途中でひねり打ち対策装置の内部を通過させるようにしている。また、ひねり打ち対策装置には、途中に横移動路が形成された球通路と、横移動路に支受片と停止片とを位置させて上下に搖動可能になった搖動部材とが設けられている。
【０００９】
この搖動部材の支受片は、遊技球を支受したときに下方に回転することにより遊技球を球出口側に送り、そのとき、停止片も上方から下方に回転することにより、横移動路を塞いでつぎの遊技球が支受片側に移動することを防止する。そして、支受片に遊技球の重量が掛からなくなると、付勢手段の付勢力によって搖動部材は元の位置に復帰し、つぎの遊技球は停止片による停止状態から解放されて支受片側に移動する。このため、ひねり打ち対策装置に入る前に、複数の遊技球が一緒に流下してきても、ひねり打ち対策装置を通過する遊技球は一球ずつアタッカーに向かって移動するようになる。
【００１０】
本発明に係るひねり打ち対策装置の他の構成上の特徴は、装置本体が球入口と球出口を遊技盤の前面に位置させて設置され、球通路が、球入口から下方後側に延びて横移動路における上流側部分に連通する入口側通路と、横移動路における下流側部分から球出口に連通する出口側通路とからなっていることにある。また、この場合、搖動部材は、支受片と停止片を前方に位置させて後部を支点として搖動可能になっていることが好ましい。
【００１１】
本発明によると、球通路を単純な構造にしながら、球入口と球出口を適正位置である遊技盤の前面に位置させることができる。また、搖動部材の支受片と停止片を前方に位置させて、搖動部材を後部を支点として搖動させることにより、搖動部材が左右方向に広がってひねり打ち対策装置が大型化することを防止できる。
【００１２】
本発明に係るひねり打ち対策装置のさらに他の構成上の特徴は、付勢手段が、装置本体に取り付けられた装置本体側磁石（３８ａ）と、搖動部材に取り付けられて装置本体側磁石に対して吸引または反発する搖動部材側磁石（３８ｂ）で構成されていることにある。
【００１３】
本発明によると、付勢手段を設置するために大きなスペースがいらないため、ひねり打ち対策装置を小型にすることができる。なお、装置本体側磁石と搖動部材側磁石は、互いに吸引し合うものであっても、反発し合うものであってもよく、搖動部材を所定の方向に付勢できるものであればよい。また、装置本体側磁石と搖動部材側磁石をそれぞれ複数個設けて、互いに吸引し合うものと、反発し合うものとを組み合わせてもよい。
【図面の簡単な説明】
【００１４】
【図１】本発明の一実施形態に係るひねり打ち対策装置を備えたパチンコ機の概略を示した正面面である。
【図２】ひねり打ち対策装置を前側斜め上方から見た状態を示した斜視面である。
【図３】ひねり打ち対策装置を後側斜め上方から見た状態を示した斜視面である。
【図４】ひねり打ち対策装置を示しており、（ａ）は平面図、（ｂ）は正面図、（ｃ）は左側面図、（ｄ）は右側面図である。
【図５】ひねり打ち対策装置を前側斜め上方から見た状態を示した分解斜視面である。
【図６】ひねり打ち対策装置を後側斜め上方から見た状態を示した分解斜視面である。
【図７】ひねり打ち対策装置の内部を示した断面図である。
【発明を実施するための形態】
【００１５】
以下、本発明の一実施形態を図面を用いて説明する。図１は、同実施形態に係るひねり打ち対策装置２０を備えた本発明に係る遊技機としてのパチンコ機１０を示している。パチンコ機１０の表面における上部側部分には遊技領域を構成する遊技盤１１が設けられており、その下方には、遊技球Ａを一旦溜めて順次発射位置に供給する上皿１２と、上皿１２から間隔を保って１個ずつ供給される遊技球Ａを遊技盤１１に向けて発射するハンドル１３を含む球発射装置が設けられている。そして、上皿１２の下方に、遊技球Ａを溜めるための下皿１４が設けられている。
【００１６】
また、遊技盤１１の中央には、演出効果を発揮するための画像を表示する液晶画面１５が設けられている。この液晶画面１５の正面視による形状は、やや横長の長方形の上縁部を湾曲させて上方に突出させた形状になっている。そして、遊技盤１１における液晶画面１５の下方に入賞装置１６が設けられ、入賞装置１６の右側やや下方に入賞装置１７が設けられ、さらに、入賞装置１６の下方にアウト口１８が設けられている。入賞装置１６は、いわゆるチャッカーを構成する入賞口であり、入賞装置１６内に遊技球Ａが入ると、所定数の遊技球Ａが賞球として、パチンコ機１０の裏面上部に設置された球タンク（図示せず）から上皿１２に送られる。
【００１７】
また、入賞装置１７は、本発明に係るアタッカーを構成する入賞口であり、前面に位置する板状部分の上部が前後に進退することにより開閉する。この入賞装置１７は、「大当たり」の際に開いて遊技球Ａを入賞し易くし、所定数の遊技球Ａが入賞すると閉じる。この場合も、入賞装置１７内に遊技球Ａが入ると、所定数の遊技球Ａが賞球として、球タンクから上皿１２に送られる。アウト口１８は、入賞装置１６，１７に入らなかった遊技球Ａを通過させてパチンコ機１０の下方に設置された回収タンク（図示せず）に送るためのゲート穴である。
【００１８】
ひねり打ち対策装置２０は、遊技盤１１における入賞装置１７の上方の近傍に設けられており、図２ないし図４（ａ）〜（ｄ）に示したように形成されている。なお、本実施形態においては、前後、左右、上下の各方向は、図２に基づくものとし、図２における左やや下方が前方で、右やや上方が後方、左やや上側が左側で、右やや下方が右側であるとする。上下の方向は図２の通りである。ひねり打ち対策装置２０は、装置本体２０ａに、図５および図６に示した搖動部材３５、支持棒３７およびそれぞれ一対の磁石３８ａと磁石３８ｂを組み込んで構成されている。
【００１９】
装置本体２０ａは、本体前部２１、本体後部２５および板状蓋部２８を組み付けて構成されており、これらを組み付けることによって、球入口３１ａと球出口３１ｂとを連通する球通路３１および搖動部材収容部３２が形成されている。本体前部２１は、表裏の平面を前後に向けて配置された板状の固定板２１ａ、固定板２１ａの前側にそれぞれ形成された入口側前部２２と出口側前部２３、および、固定板２１ａの後側に形成された連結枠２４を備えている。固定板２１ａにおけるやや左上側の入口側前部２２に対応する部分には、固定板２１ａの上縁部に対応する部分から下方に延びる切欠き部２１ｂが形成され、固定板２１ａにおけるやや右下側の出口側前部２３に対応する部分には開口部２１ｃが形成されている。
【００２０】
入口側前部２２は、切欠き部２１ｂの縁部から前方に延びる側面部２２ａ，２２ｂと、側面部２２ａ，２２ｂの前縁部に掛け渡された前面部２２ｃで構成されている。側面部２２ａは入口側前部２２の左側面部と底面部を構成しており、左側面部の下部から底面部にかけての部分は滑らかに湾曲している。側面部２２ｂは、平面状の右側面部を構成している。このため、前面部２２ｃは、上部が四角形で下部が円形の１／４の扇形に形成されている。また、前面部２２ｃの内面には上下から前後にかけて延びるガイド壁２２ｄが形成されている。このガイド壁２２ｄは、側方から見た形状が前方が高く後方に行くほど低くなった凸部で構成されており、後縁部から上縁部にかけての部分は遊技球Ａが沿える湾曲状に形成されている。
【００２１】
出口側前部２３は、固定板２１ａにおける開口部２１ｃの上部から前方に延びる天井部２３ａおよび開口部２１ｃの両側部分から前方に延びる側面部２３ｂ，２３ｃで構成されている。天井部２３ａは、開口部２１ｃの上方に位置しており、側面部２２ｂの上下方向の略中央から右斜め下方に傾斜して延びている。側面部２３ｂは、上部が側面部２２ｂの下部と共通する部分で構成され、下端は固定板２１ａの下端まで延びている。側面部２３ｃは、側面部２２ｂ，２３ｂと平行して、天井部２３ａの右下端部から固定板２１ａの下端まで延びている。
【００２２】
連結枠２４は、固定板２１ａから後方に延びる略枠状に形成されており、上面部２４ａ、側面部２４ｂ，２４ｃおよび底面部２４ｄからなっている。上面部２４ａは、固定板２１ａの上部における切欠き部２１ｂの右縁部近傍から右側に延びており、開口部２１ｃの上方に位置している。側面部２４ｂは、上面部２４ａの右端から開口部２１ｃの右縁部に沿って固定板２１ａの下部に向かって延びており、その下端は開口部２１ｃの下端よりも少し下方に位置している。
【００２３】
側面部２４ｃは、固定板２１ａの上部における切欠き部２１ｂの左縁部に沿って下方に延びており、その下部側に、上部よりも下部を少し右側に位置させるように段差が設けられている。側面部２４ｂ，２４ｃの下端部の上下方向の位置は同じになっている。底面部２４ｄは、固定板２１ａの下部で、側面部２４ｂ，２４ｃの下端部どうしを連結している。また、固定板２１ａの後面における連結枠２４内の下部左部分と、固定板２１ａの後面における上下方向の中央の右側部分からは、それぞれねじ螺合用の円筒部２１ｄ，２１ｅが後方に向かって延びている。
【００２４】
本体後部２５は、本体前部２１との間に球通路３１の一部である横移動路３１ｃ（図７参照）を形成するとともに、後述する板状蓋部２８との間に搖動部材収容部３２を形成する部材である。本体後部２５は、平面を左右方向に向けて配置される板状の壁面部２５ａと、壁面部２５ａの左側前部に形成された入口側後部２６と、壁面部２５ａの右側に形成された収容凹部２７とで構成されている。入口側後部２６は、壁面部２５ａの前後方向の略中央から右側に延びる後壁部２６ａと、後壁部２６ａの上端から前方に延びる天井部２６ｂと、後壁部２６ａの下端から前方に延びる底面部２６ｃとで側方から見た形状が略コ字状の外郭部が構成され、天井部２６ｂと底面部２６ｃの間に球ガイド部２６ｄが形成されている。
【００２５】
球ガイド部２６ｄは、横移動路３１ｃの上流側を構成する部分で、後壁部２６ａから前方に延びている。この球ガイド部２６ｄは、側方から見た形状が前側が開放された略Ｕ形に形成されており、その上部前端には、屈曲して上方に延びる垂直片２６ｅが形成されている。また、球ガイド部２６ｄの内部側の後部左側には左右に延びるガイド壁２６ｆが形成されている。このガイド壁２６ｆは、上方から見た形状が左端が前方に突出し、右側に行くほど前方への突出量が少なくなった凸部で構成されており、前縁部は遊技球Ａが沿える湾曲状に形成されている。また、後壁部２６ａの後面における左下部には、略Ｃ形のねじ係合部２６ｇが形成されており、後壁部２６ａにおけるねじ係合部２６ｇの内部に対応する部分には前後に貫通するねじ挿通穴（図示せず）が形成されている。
【００２６】
収容凹部２７は、壁面部２５ａにおける上部、後部および下部の縁部からそれぞれ右側に突出する天井部２７ａ、後面部２７ｂおよび底面部２７ｃで構成されている。天井部２７ａは、後部よりも前部が肉厚分低くなった段違いに形成されている。後面部２７ｂは、平面状に形成されている。底面部２７ｃは、前後方向の中央よりもやや前側の部分に下方に突出する台状の突部が形成された凹凸状に形成されており、その前側部分は前方に向かって下り傾斜に形成されている。
【００２７】
そして、壁面部２５ａにおける収容凹部２７内の後方上部からは、後面部２７ｂと一体になったねじ螺合用の円筒部２７ｄが右側に向かって延びている。また、壁面部２５ａの上部側には、右端部に凹部（図示せず）が形成された凸部からなる軸受け部２７ｅ設けられている。軸受け部２７ｅの左端部は、壁面部２５ａの左面に突出している。さらに、壁面部２５ａの左面の下部側には、一対の円筒状の固定部２７ｆが前後に間隔をおいて形成されており、各固定部２７ｆ内にそれぞれ磁石３８ａが固定されている。また、天井部２７ａの段差部分の近傍には、下方に突出するストッパ２７ｇ（図７参照）が形成されている。
【００２８】
このように構成された本体後部２５は、天井部２７ａの低い部分を、連結枠２４の上面部２４ａの下面側に位置させるとともに、垂直片２６ｅを連結枠２４の切欠き部２１ｂの上部開口部分に位置させた状態で、前部側部分を連結枠２４内に入れて、本体前部２１に組み付けられる。そして、ねじ（図示せず）を後壁部２６ａのねじ挿通穴に通し、円筒部２１ｄの内面に螺合させて、本体後部２５は本体前部２１に固定される。また、ねじの頭部は、ねじ係合部２６ｇに係合する。なお、垂直片２６ｅは、切欠き部２１ｂの上端に位置しており、入口側前部２２を形成する側面部２２ａ，２２ｂと前面部２２ｃの上端部と垂直片２６ｅで球入口３１ａが形成される。また、球ガイド部２６ｄの右側には空間が形成されており、この空間の一部で、横移動路３１ｃの下流側部分が構成される。
【００２９】
板状蓋部２８は、本体後部２５の収容凹部２７の右側開口の後部を覆える大きさの板状に形成されており、上部における前後方向の略中央部分に左端部に凹部が形成された凸部からなる軸受け部２８ａが設けられている。また、板状蓋部２８の前部における上下方向の略中央に切欠き部２８ｂが形成され、その切欠き部２８ｂの右側を覆うようにして板状蓋部２８の右面に正面視がＵ形のねじ係合部２８ｃが形成されている。そして、板状蓋部２８のやや上部側後部に左右に貫通するねじ挿通穴２８ｄが形成されている。この板状蓋部２８は、ねじ係合部２８ｃに後方からねじ（図示せず）を通し、そのねじを円筒部２１ｅの内周面に螺合させて本体前部２１に固定され、ねじ挿通穴２８ｄにねじ（図示せず）を通し、そのねじを円筒部２７ｄの内周面に螺合させて本体後部２５に固定される。これによって、装置本体２０ａが形成される。
【００３０】
搖動部材３５は、支持棒３７を介して装置本体２０ａに搖動可能に組み付けられており、後方に位置する搖動基部３５ａの前側に搖動先端部３６を形成した構成をしている。搖動基部３５ａは、側方から見た形状が略四角形の肉厚の板状に形成され、後部上端に左右に貫通する貫通穴を備えた略円筒状の軸挿通部３５ｂが形成されている。また、搖動基部３５ａの下部側には、左右に貫通する固定穴を備えた一対の円筒状の固定部３５ｃが間隔をおいて形成されている。一対の固定部３５ｃのうちの一方は、搖動基部３５ａの後部下端に位置し、他方は一方の固定部３５ｃの前側やや上方に位置している。この一対の固定部３５ｃの間隔は、本体後部２５の一対の固定部２７ｆの間隔と略同じに設定されており、一対の固定部３５ｃ内にそれぞれ磁石３８ｂが固定されている。
【００３１】
搖動先端部３６は、左側方から見た形状が略Ｊ形に形成されており、後部に位置する曲部３６ａと、曲部３６ａの下部から前方に延びる支受片３６ｂと、曲部３６ａの上部から前方に延びる停止片３６ｃで構成されている。支受片３６ｂの前後方向の長さは、停止片３６ｃの前後の長さよりも長くなっている。また、搖動先端部３６の左右の幅は遊技球Ａの直径よりも少し長くなっており、支受片３６ｂは遊技球Ａを１個支受できる大きさに形成されている。また、支持棒３７は、直径が軸挿通部３５ｂの挿通穴に余裕を持って挿入できる長さで、軸方向の長さが本体後部２５の壁面部２５ａと板状蓋部２８に掛け渡すことができる長さに設定されている。
【００３２】
このように構成された搖動部材３５を装置本体２０ａに組み付けるときには、まず、軸挿通部３５ｂの挿通穴に支持棒３７を通す。ついで、分解された状態の装置本体２０ａの本体後部２５の収容凹部２７内に搖動部材３５を位置させて支持棒３７の左端部を軸受け部２７ｅの凹部に入れる。つぎに、支持棒３７の右端部を板状蓋部２８の軸受け部２８ａの凹部内に位置させて、板状蓋部２８を本体後部２５に組み付けるとともに固定する。そして、搖動部材３５が組み付けられた本体後部２５と板状蓋部２８を本体前部２１に組み付けて固定する。これによって、ひねり打ち対策装置２０が得られる。
【００３３】
このとき、搖動部材３５は、装置本体２０ａの内部で、図７に示した状態になる。すなわち、搖動先端部３６の後部から中央部にかけての部分は、球ガイド部２６ｄの右縁部に沿うようになり、支受片３６ｂの前端部は開口部２１ｃを貫通して、出口側前部２３内に突出する。また、停止片３６ｃの前端部は固定板２１ａの近傍まで延びている。そして、搖動部材３５は、支受片３６ｂが収容凹部２７の底面部２７ｃの前部の傾斜部分に当接する下方位置と、停止片３６ｃが収容凹部２７の天井部２７ａのストッパ２７ｇに当接する上方位置との間で回転可能になる。
【００３４】
また、本体後部２５に取り付けられた一対の磁石３８ａと、搖動部材３５に取り付けられた一対の磁石３８ｂはそれぞれ対向しており、前側に位置する磁石３８ａと磁石３８ｂは互いに異極になって吸引し合い、後側に位置する磁石３８ａと磁石３８ｂは互いに同極になって反発するように構成されている。そして、前側に位置する磁石３８ａと磁石３８ｂが互いに吸引して左右に隣接した状態では、後側に位置する磁石３８ｂは後方に位置する磁石３８ａに反発して磁石３８ａの斜め前方に位置する。このとき、搖動部材３５は、それぞれ一対の磁石３８ａ，３８ｂによって、前部側が上方に付勢された状態になっている。また、搖動部材３５に所定の力が加わって、後側に位置する磁石３８ａと磁石３８ｂが左右に隣接した状態では、前側に位置する磁石３８ｂは前方に位置する磁石３８ａの斜め後方に位置するようになる。
【００３５】
また、それぞれ一対の磁石３８ａ，３８ｂによる付勢力は小さく、搖動部材３５が下方に位置したときに、搖動部材３５を上方に回転させることはできるが、上方に付勢された搖動部材３５の支受片３６ｂに遊技球Ａが支受されると、遊技球Ａの重量によって、搖動部材３５は下方に回転する。搖動部材３５が上方に位置したときには、支受片３６ｂは、球ガイド部２６ｄの下部と並べる位置に位置するため、球ガイド部２６ｄに移動してくる遊技球Ａは支受片３６ｂの上面に移動できるが、搖動部材３５が下方に位置したときには、停止片３６ｃが横移動路３１ｃを塞ぐため、球ガイド部２６ｄに移動してくる遊技球Ａはその位置にとどまるようになる。
【００３６】
また、支受片３６ｂに支受された遊技球Ａは、搖動部材３５の下方への回転により、支受片３６ｂから転げ落ち出口側前部２３を通って球出口３１ｂに向かう。なお、球入口３１ａと球出口３１ｂとを連通する球通路３１のうち、入口側前部２２から球ガイド部２６ｄにかけて形成される空間で本発明に係る入口側通路が形成され、収容凹部２７内の空間（搖動する支受片３６ｂの上方の空間）と出口側前部２３内の空間とで本発明に係る出口側通路が形成される。また、収容凹部２７内の空間のうちの上方に位置したときの支受片３６ｂの上方の空間で横移動路３１ｃの下流側部分が構成される。このひねり打ち対策装置２０は、遊技盤１１に設けられた設置用穴内に後部側を入れ、遊技盤１１の前面側に入口側前部２２と出口側前部２３を位置させて、固定板２１ａを遊技盤１１に固定して、パチンコ機１０に組み込まれる。
【００３７】
このように構成されたひねり打ち対策装置２０が備わったパチンコ機１０を使用する場合には、上皿１２に複数の遊技球Ａを入れ、この遊技球Ａを１個ずつ打球発射部から発射して遊技盤１１の遊技領域内に放出する。これによって、遊技球Ａは、遊技盤１１の入賞装置１６またはアウト口１８に入る。入賞装置１６やアウト口１８に入った遊技球Ａは、所定の通路を通って回収タンクに落下する。また、入賞装置１６に遊技球Ａが入ると、所定数の遊技球Ａが賞球として上皿１２に送られる。そして、入賞装置１６にある程度の遊技球Ａが入ると定められた確率で「大当たり」が発生して、入賞装置１７が開く。入賞装置１７に遊技球Ａが入るとその都度所定数の遊技球Ａが賞球として上皿１２に送られ、入賞装置１７に入った遊技球Ａが所定数、例えば１５球になると、入賞装置１７は閉じる。このようなことが繰り返されながらゲームが進んでいく。
【００３８】
このゲームの際、入賞装置１７が開いているときには、遊技者は遊技球Ａを強めに発射させて、遊技球Ａが遊技盤１１の右側部分に進むようにする。そして、入賞装置１７の上方には、ひねり打ち対策装置２０が位置しているため、遊技球Ａは、ひねり打ち対策装置２０内を通過したのちに入賞装置１７内に入る。このため、遊技球Ａは、ひねり打ち対策装置２０内を一定の間隔またはそれ以上の間隔をおいて通過するようになり、複数の遊技球Ａが一緒に、入賞装置１７内に入ることはなくなる。
【００３９】
遊技者の中には、賞球として上皿１２に送られる遊技球Ａの数を増やすために、ひねり打ちを行う者がいる。この場合、開いた入賞装置１７が閉じる１球前の遊技球Ａを発射させる際に、遊技球Ａを液晶画面１５の上面に接触させる等して移動速度が遅くなるようにし、つぎの遊技球Ａを素早く発射させることで２個の遊技球Ａを一緒に入賞装置１７に入れようとする。しかしながら、前述したように、パチンコ機１０においては、入賞装置１７に入る各遊技球Ａは、一旦、ひねり打ち対策装置２０内を通過するため、複数の遊技球Ａが一緒に入賞装置１７に入ることはなくなる。
【００４０】
このように、本実施形態に係るパチンコ機１０では、アタッカーである入賞装置１７の上方にひねり打ち対策装置２０を設けて、入賞装置１７に入る前の遊技球Ａがひねり打ち対策装置２０内を通過するようにしている。そして、このひねり打ち対策装置２０には、横移動路３１ｃを備えた球通路３１と、横移動路３１ｃの下流側部分で支受片３６ｂと停止片３６ｃが上下に搖動可能になった搖動部材３５とが設けられている。搖動部材３５は、支受片３６ｂが遊技球Ａを支受したときに下方に回転して遊技球Ａを球出口３１ｂに送り、そのとき、停止片３６ｂは、横移動路３１ｃを塞いでつぎの遊技球Ａが支受片３６ｂ側に移動することを防止する。
【００４１】
そして、遊技球Ａが支受片３６ｂから落下すると、それぞれ一対の磁石３８ａ，３８ｂの互いに吸引する力と反発し合う力とによる付勢力によって搖動部材３５は元の上方位置に復帰し、つぎの遊技球Ａは停止片３６ｂによる停止状態から解放されて支受片３６ｂ側に移動する。このため、ひねり打ち対策装置２０に入る前に、複数の遊技球Ａが一緒に流下してきても、ひねり打ち対策装置２０を通過する遊技球Ａは確実に一球ずつ入賞装置１７に配いていく。また、前述した実施形態では、付勢手段をそれぞれ一対の磁石３８ａ，３８ｂで構成し、これらを、本体後部２５に設けた固定部２７ｆおよび搖動部材３５に設けた穴からなる固定部３５ｃ内に設置しているため、付勢手段を設置するために大きなスペースがいらなくなる。これによって、ひねり打ち対策装置２０を小型にすることができる。
【００４２】
また、本発明に係るひねり打ち対策装置は、前述した実施形態に限定するものでなく、適宜変更することができる。例えば、前述した実施形態では、付勢手段をそれぞれ一対の磁石３８ａ，３８ｂで構成しているが、それぞれ１個の磁石３８ａ，３８ｂで構成してもよい。また、付勢手段を、磁石３８ａ，３８ｂに代えてバネで構成してもよい。この場合のバネとしては、コイルバネ、板バネなど種々のバネを用いることができる。さらに、付勢手段を、搖動部材の後部に重りを設けることで構成してもよい。また、ひねり打ち対策装置のそれ以外の部分の構成についても本発明の技術的範囲内で適宜変更して実施することが可能である。
【符号の説明】
【００４３】
１０…パチンコ機、１１…遊技盤、１７…入賞装置、２０…ひねり対策装置、２０ａ…装置本体、３１…球通路、３１ａ…球入口、３１ｂ…球出口、３１ｃ…横移動路、３５…搖動部材、３６ｂ…支受片、３６ｃ…停止片、３８ａ，３８ｂ…磁石、Ａ…遊技球。
【図１】
2017169720.tif 000003
【図２】
2017169720.tif 000004
【図３】
2017169720.tif 000005
【図４】
2017169720.tif 000006
【図５】
2017169720.tif 000007
【図６】
2017169720.tif 000008
【図７】
2017169720.tif 000009